(57)【要約】【課題】  管状導光ユニットにおいて、発光効果を豊富で活発とすることを目的とする。【解決手段】  透光管体（１０）は中空部（１１）と管壁（１２）を有する。管壁（１２）は、可透光、可導光の特性を持つものであり、局部面域の集光効果の発揮するための切面箇所（２０）を有する。切面箇所の形成された管壁の厚さの差により、異なった光反射の状態が形成されるようになり、切面箇所（２０）は集光効果があり、輝度が他の部分より高くなり、この輝度の差によって、管状導光ユニットはオリジナルな装飾性を有する。【選択図】  図１
0003145284.tif 000002
【実用新案登録請求の範囲】
【請求項１】
中空部（１１）と管壁（１２）が備わっている透光管体（１０）を有し、
前記透光管体（１０）は、前記管壁（１２）が、可透光、可導光の特性を持つものであり、前記管壁（１２）に、局部面域の集光効果の発揮するための切面箇所（２０）を少なくとも一つ有することを特徴とする管状導光ユニット。
【請求項２】
前記切面箇所（２０）は、前記管壁（１２）に沿って、前記透光管体（１０）の全長に亘って形成してあることを特徴とする請求項１に記載の管状導光ユニット。
【請求項３】
前記切面箇所（２０Ｃ）は、前記透光管体（１０）の管壁（１２）に沿い、間隔をあけて形成してあることを特徴とする請求項１に記載の管状導光ユニットである。
【請求項４】
前記切面箇所（２０Ｂ）は、その一部が前記透光管体（１０）の前記中空部（１１）まで貫通した形態に設けられていることを特徴とする請求項１に記載の管状導光ユニット。
【請求項５】
前記切面箇所（２０）は、文字、図案の形状であることを特徴とする請求項１に記載の管状導光ユニット。
【請求項６】
前記透光管体（１０）の片側に、投射の光源としての発光体（３０）を設けてなることを特徴とする請求項１に記載の管状導光ユニット。
【請求項７】
前記透光管体（１０）の中空部（１１）内に、更に光ファイバー部品（４０）が設けてあり、
前記光ファイバー部品（４０）は、一つの光棒（４１）と、複数の光反射部（４２）と、一つの発光ユニット（４３）からなり、
前記光反射部（４２）は、前記光棒（４１）の内部又は光棒（４１）の外部の表面に、或いは、光棒（４１）の内部と光棒（４１）の外部の表面に設けられ、
前記発光ユニット（４３）は、前記光棒（４１）の片側に設けられたことを特徴とする請求項１に記載の管状導光ユニット。
【考案の詳細な説明】
【技術分野】
【０００１】
本考案は導光ユニットに係り、特に管状導光ユニットのオリジナル構造設計に関する。
【背景技術】
【０００２】
発光体として、例えばＬＥＤ、電球などがあるが、実際に応用のときには、希望の大きく、又は広い発光面積に対応するために、適当な形態の導光ユニットで、その目的を達成する必要がある。
【０００３】
この導光ユニットの形態には、機能により異なるが、例えば、シェルカバー状、板状、柱状等がある。そのうち、柱状導光ユニットは、長い形、曲がった形又はフレーム形に伸びることができるので、広く応用されている。従来の柱状導光ユニットは、発光体の放出した光を線状に伸ばすことができる。
【考案の開示】
【考案が解決しようとする課題】
【０００４】
しかし、シンプルな柱状形態の多い柱状導光ユニットに対して、多様化を求める使用者の要求がある。また、業界での競争が激しい。このため、いかに従来の形式を突破して、よりオリジナルでかつ進歩性のあるオリジナル構造を研究開発することが求められている。
【０００５】
そこで、上述の従来の導光ユニット構造に存在した問題点について、より理想で実用性のあるオリジナル構造を開発するのが、使用者の望みであり、関連業者が努力して、研究開発し、突破していく目標と方法でもある。
【０００６】
それを鑑みて、本考案者は関連製品の製造開発及び設計に携わる長年の経験を持っており、上述の目標について詳しく設計、評価したうえ、実用性のある考案を創作した。
【０００７】
本考案は、上記課題を解決した管状導光ユニットを提供することを目的とする。
【課題を解決するための手段】
【０００８】
本考案は、中空部（１１）と管壁（１２）が備わっている透光管体（１０）を有し、
前記透光管体（１０）は、前記管壁（１２）が、可透光、可導光の特性を持つものであり、前記管壁（１２）に、局部面域の集光効果の発揮するための切面箇所（２０）を少なくとも一つ有することを特徴とする。
【考案の効果】
【０００９】
従来の技術に比較すれば、この考案のオリジナル設計は、前記切面箇所の形成された管壁の厚さの差により、異なった光反射の状態が形成されるようになり、外部から前記切面箇所を見ると、よりよい輝度の集光効果があり、このように構成された前記透光管体の管壁の局部面域は、輝度の差によって、前記管状導光ユニットは発光効果が豊富で活発になり、好適な装飾性のオリジナル性を有する。
【００１０】
この考案のもう一つの目的は、前記透光管体の中空部内に光ファイバー部品をもう一つの技術特徴として設けることにより、前記発光ユニットの放出した光がより遠くまで届き、前記光ファイバー部品の光反射部は、フレキシブル材で作られたもので、それにより、光が曲がったルートで伝導されるようになり、前記透光管体の屈折形態の設計で、光が前記透光管体のいたるところに均一に届き、よりよい導光効果を有する。
【考案を実施するための最良の形態】
【００１１】
以下本考案の各実施例について説明する。
【実施例１】
【００１２】
図１は本考案の実施例１になる管状導光ユニットＡの分解斜視図である。図２は図１の管状導光ユニットＡの拡大断面図である。
【００１３】
透光管体１０は、中空部１１と管壁１２を有する。管壁１２は可透光、可導光の特性を有するもので、例えば、透明ガラス管、プラスチック管又はアクリル管である。管壁１２の表面に少なくとも一つの切面箇所２０があり、前記切面箇所２０によって、局部面域の集光効果が得られることを特徴とするものである。
【００１４】
図１に示すように、透光管体１０の片側に発光体３０を設けて、投射の光源を提供することができる。発光体３０はＬＥＤである。
【００１５】
切面箇所２０は、管壁１２に沿って、透光管体１０の全長に亘って形成してある。
【００１６】
使用の際、図２に示すように、発光体３０が点灯してライト（Ｌ１）を放出したとき、透光管体１０の管壁１２は可透光、可導光の特性があるので、光が管壁１２沿いに伝えられ、円周状管壁１２全体が光るようになり、且つ、切面箇所２０に形成された管壁の厚さの差により、異なった光反射の状態が形成されるようになり、外部から切面箇所２０を見ると、より良い輝度の集光効果がある（図中の矢印Ｌ２）。このように構成された透光管体１０の管壁１２の局部面域は、輝度の差によって、発光効果が豊富で活発になり、よりオリジナル性のあるものになる。
【実施例２】
【００１７】
図３は本考案の実施例２になる管状導光ユニットＡ１の斜視図である。図４は図３の管状導光ユニットＡ１の拡大断面図である。
【００１８】
切面箇所２０Ｂは、その一部が透光管体１０の中空部１１まで貫通した形態で形成してあり、切面箇所２０Ｂの区域に貫通部２１が形成されている。
【実施例３】
【００１９】
図５は本考案の実施例３になる管状導光ユニットの透光管体１０の断面形状を示す。
【００２０】
図５に示す透光管体１０は、管壁１２Ｂの断面形状が、四方形に類似した形状である。透光管体の管壁は、三角形、六角形等の非円形の断面形状でもよい。
【実施例４】
【００２１】
図６は本考案の実施例４になる管状導光ユニットの透光管体１０を示す。
【００２２】
透光管体１０は、切面箇所２０Ｃが、前記透光管体１０の管壁１２に沿い、間隔をあけて複数設置された形態である。
【００２３】
前記切面箇所２０は、簡単な幾何学形状に形成してもよく、また、製品の商標や装飾効果を表すための文字、図案の形状に形成してもよい。
【００２４】
上記構成の管状導光ユニットＡ、Ａ１を実際に応用したとき、製品構造の発光装飾フレームとして使われ、例えば、カーナンバーの飾りフレーム、車用ライトの発光飾りバー、掲示板の発光飾りフレーム等として使われる。
【実施例５】
【００２５】
図７は本考案の実施例５になる管状導光ユニットトＡ２を分解して示す斜視図である。図８は図７の管状導光ユニットトＡ２の拡大断面図である。
【００２６】
管状導光ユニットトＡ２は、前記透光管体１０の中空部１１内に、光ファイバー部品４０が設けてある構成が、前述の実施例と相違する。
【００２７】
光ファイバー部品４０は、一つの光棒４１と、複数の光反射部４２と、一つの発光ユニット４３からなる。光棒４１は、透明な中実材料（例えばアクリル）である。光反射部４２は、光棒４１の内部又は光棒４１の外部の表面に、或いは、光棒４１の内部と光棒４１の外部の表面に設けられ、様々な形態があるが、例えば、内部の気泡式構造、又は前記光棒４１の外表面に設けられた反射凹形、又は図７に示すような内蔵式反射線構造形態などが具体的な実施形態である。発光ユニット４３は、ＬＥＤであり、少なくとも光棒４１の片側に設けてある。
【００２８】
光ファイバー部品４０を設置したことによって、発光ユニット４３の放出した光がより遠くまで届く。また、光ファイバー部品４０の光棒４１は、光反射部４２で作られたものであるので、それにより、光が曲がったルートで伝導されるようになり、透光管体１０の屈折形態の設計で、光が前記透光管体１０のいたるところに均一に届くようになる。
【００２９】
本考案になる管状導光ユニットは、透光管体の切面箇所によるオリジナル設計であり、従来の技術と比較すると、切面箇所の形成された管壁の厚さの差により、異なった光反射の状態が形成され、外部から前記切面箇を見ると、よりよい輝度の集光効果があり、そのように構成された前記透光管体の管壁の局部面域は、輝度の差によって、管状導光ユニットの発光效果が豊富で活発になり、装飾性がよくなり、製品のオリジナル性と進歩性が向上されるものになる。
［効果の説明］
本考案になる管状導光ユニットは、以下に記載する効果を有する。
【００３０】
１．透光管体の中空部内に更に光ファイバー部品を設けたもう一つの技術特徴により、発光ユニットの放出した光がより遠くまで届き、しかも、光ファイバー部品の光反射部は、フレキシブル材で作られたもので、それにより、光が曲がったルートで伝導されるようになり、透光管体の屈折形態の設計で、光が透光管体のいたるところに均一に届き、より良い導光効果のあるメリットを持つようになる。
【００３１】
２．本考案になる管状導光ユニットは、中空部有りの管状構造空間形態であるため、より便利でうまく応用できるようになり、そして、発光体が透光管体の片側に設けられてもよく、中空部内に光ファイバー部品を設けてもよく、光投射の形式が多様になり、使用者の多様なニーズに対応することができる。
【００３２】
上述の実施例は本考案を具体的に説明したものであり、文中では特定の専門用語を用いて説明しているが、本考案の範囲を限定するものではなく、この技術分野を熟知した人員は本考案の精神及び原則を逸脱しない限り、本考案に変更または改良を加えることができる。しかし、それらの変更または改良は全て実用新案登録請求の範囲の範疇に含まれるものである。
【図面の簡単な説明】
【００３３】
【図１】本考案の実施例１になる管状導光ユニットの分解斜視図である。
【図２】図１の管状導光ユニットの拡大断面図である。
【図３】本考案の実施例２になる管状導光ユニットの斜視図である。
【図４】図３の管状導光ユニットの拡大断面図である。
【図５】本考案の実施例３になる管状導光ユニットの透光管体の断面図である。
【図６】本考案の実施例４になる管状導光ユニットの透光管体を示す斜視図である。
【図７】本考案の実施例５になる管状導光ユニットトを分解して示す斜視図である。
【図８】図７の管状導光ユニットトの拡大断面図である。
【符号の説明】
【００３４】
Ａ、Ａ１、Ａ２  管状導光ユニット
１０  透光管体
１１  中空部
１２、１２Ｂ  管壁
２０、２０Ｂ、２０Ｃ  切面箇所
３０  発光体
４０  光ファイバー部品
４１  光棒
４２  光反射部
４３  発光ユニット
【図１】
0003145284.tif 000003
【図２】
0003145284.tif 000004
【図３】
0003145284.tif 000005
【図４】
0003145284.tif 000006
【図５】
0003145284.tif 000007
【図６】
0003145284.tif 000008
【図７】
0003145284.tif 000009
【図８】
0003145284.tif 000010